(57)【要約】  金属化合物を含むエアロゾルを反応器中で火炎内に導入し、かつここで反応させ、かつ得られた金属酸化物粉末をガス状の物質から分離し、ここで、ａ）酸素を含むガス（１）を、燃料ガスと一緒に点火することにより火炎を形成させ、ｂ）１つ以上のノズルを用いて、金属化合物を含む溶液と噴霧ガスとを一緒に噴霧することによりエアロゾルを得て、かつｃ）噴霧面積の反応器横断面積に対する比率が、少なくとも０．２である、火炎溶射熱分解を用いた金属酸化物粉末の製造方法。【特許請求の範囲】
【請求項１】
火炎溶射熱分解を用いた金属酸化物粉末の製造方法において、
金属化合物を含むエアロゾルを反応器中で火炎内に導入し、かつここで反応させ、かつ得られた前記金属酸化物粉末をガス状の物質から分離し、ここで、
ａ）  酸素を含むガス（１）を、燃料ガスと共に点火することにより火炎を形成させ、
ｂ）  １つ以上のノズルを用いて、金属化合物を含む溶液と噴霧ガスとを一緒に噴霧することにより前記エアロゾルを得て、かつ
ｃ）  噴霧面積の反応器横断面積に対する比率が、少なくとも０．２であることを特徴とする、金属酸化物粉末の製造方法。
【請求項２】
前記エアロゾルの噴霧形状は、７０〜１３０°の散乱範囲を有する円錐形であることを特徴とする、請求項１記載の方法。
【請求項３】
噴霧された前記エアロゾルの平均液滴サイズは、１０〜１５０μｍであることを特徴とする、請求項１または２記載の方法。
【請求項４】
前記金属化合物を含む溶液と前記噴霧ガスとを前記ノズル内の混合室内へ流入させ、かつ前記混合室内に配置された組込部材が、前記噴霧ガスの作用下で前記溶液を個々の液滴に分割し、かつ前記エアロゾルを前記混合室から穿孔を介して前記反応器中へ導入することにより、前記エアロゾルを製造することを特徴とする、請求項１から３までのいずれか１項記載の方法。
【請求項５】
反応器壁部の１つ以上の箇所を介して、前記火炎を取り囲む酸素を含むガス（２）を前記反応器中へ導入することを特徴とする、請求項１から４までのいずれか１項記載の方法。
【請求項６】
酸素を含むガス（２）／酸素を含むガス（１）＝０．１〜２であることを特徴とする、請求項１から５までのいずれか１項記載の方法。
【請求項７】
前記金属化合物の金属成分は、Ａｌ、Ｃｏ、Ｃｒ、Ｃｕ、Ｆｅ、Ｈｆ、Ｉｎ、Ｌｉ、Ｍｎ、Ｍｏ、Ｎｂ、Ｎｉ、Ｓｉ、Ｓｎ、Ｔａ、Ｔｉ、Ｖ、Ｙ、Ｚｎ、およびＺｒからなる群から選択されることを特徴とする、請求項１から６までのいずれか１項記載の方法。
【請求項８】
前記金属化合物は、前記金属成分の他に炭素を含むことを特徴とする、請求項１から７までのいずれか１項記載の方法。
【請求項９】
前記金属化合物は、シラン、ポリシロキサン、環状ポリシロキサン、シラザン、およびこれらの任意の混合物からなる群から選択されるケイ素含有化合物であることを特徴とする、請求項１から８までのいずれか１項記載の方法。
【請求項１０】
ケイ素含有化合物を含むエアロゾルを反応器中で火炎内に導入し、かつここで反応させ、かつ得られたケイ酸粉末を、ガス状の物質から分離する、火炎溶射熱分解を用いた、少なくとも５０ｍ2／ｇのＢＥＴ表面積および０．１質量％未満の炭素含有率を有するケイ酸粉末の製造方法において、
ａ）  酸素を含むガス（１）を、燃料ガスと共に点火することにより火炎を形成させ、
ｂ）  前記ケイ素含有化合物を、シラン、ポリシロキサン、環状ポリシロキサン、シラザン、およびこれらの任意の混合物からなる群から選択し、
ｃ）  １つ以上のノズルを用いて、前記ケイ素含有化合物を含む溶液と噴霧ガスとを一緒に噴霧することにより前記エアロゾルを得て、かつ噴霧面積の反応器横断面積に対する比率が、少なくとも０．２であり、かつ
ｄ）  付加的に、酸素を含むガス（２）を反応器中に導入し、ここで、酸素を含むガス（２）／酸素を含むガス（１）の比率＝０．１〜２である
ことを特徴とする、ケイ酸粉末の製造方法。
【発明の詳細な説明】
【技術分野】
【０００１】
本発明は、火炎溶射熱分解を用いて金属酸化物粉末を製造する方法に関する。
【０００２】
Chemical Engineering Science, Vol. 53, No. 24, pp. 4105-4112, 1998には、火炎拡散反応器中でシロキサンを酸素／窒素混合物および燃料ガスと反応させることによりシリカ粒子を製造することが記載されている。
【０００３】
独国特許出願公開第１０１３９３２０号明細書（DE-A-10139320）には、１０ｎｍ〜１０μｍの粒子サイズおよび３〜３００ｍ2／ｇの比表面積を有する球状のシリカ粒子を製造することが開示されている。この場合、非ハロゲン化シロキサンを火炎内で反応させる。断熱火炎温度は、この場合、１６００〜５６００℃である。シロキサンの燃焼は、シロキサンを液状の形でバーナー内に供給し、かつこの液体をノズルを用いて噴霧することにより実施される。シロキサンの噴霧は、噴霧媒体、例えば空気または蒸気の使用下で行われる。最大液滴直径は、１００μｍ以下である。
【０００４】
欧州特許出願公開第１６８８３９４号明細書（EP-A-1688394）には、反応室内で７００℃を越える反応温度でエアロゾルを酸素と反応させることにより、少なくとも２０ｍ2／ｇのＢＥＴ表面積を有する金属酸化物粉末の製造方法が開示されている。このエアロゾルは、多流体ノズルを用いて出発材料の噴射により得られる。液滴直径Ｄ30を、３０〜１００μｍとすることが特に重要である。さらに、１００μｍよりも大きいエアロゾル液滴の数は１０％に制限されている。
【０００５】
米国特許出願公開２００４／１５６７７３号明細書（US2004156773）には、熱分解金属酸化物粒子の製造方法が開示されていて、この方法は、工程：揮発可能な非ハロゲン化金属酸化物前駆体からなる液状の出発材料の流を準備すること、燃料ガスからなる流を準備すること、および液状の出発材料を燃焼させること；燃焼ガスの流れ内に液状の金属酸化物前駆体を噴射することを含む。
【０００６】
国際公開第２０１０／０６９６７５号（WO2010/069675）には、低い表面積の熱分解二酸化ケイ素粉末が開示されている。この粉末は、少なくとも１種の液状のシロキサンを酸素含有ガスを用いて噴射することにより得られたエアロゾルを火炎内に導入することにより製造される。この場合、使用された酸素／完全な酸化のための酸素必要量の比率、酸素／燃料ガスの比率、および冷却プロセスに関する付加的条件が重要である。噴射の際に形成される液滴が１００μｍより大きいことは好ましくない。
【０００７】
Powder Technology 246 (2013) 419-433およびChemical Engineering Research and Design 92 (2014) 2470-2478には、ノズル形状の効果、液滴分布、および液滴蒸発を、火炎溶射熱分解の他のプロセスパラメータとの関連で、モデルに基づき調査している。
【０００８】
火炎溶射熱分解は、金属酸化物を製造するための確立された方法であるにもかかわらず、プロセスパラメータの相互作用が後の製品の特性をどのように決定するのかについての理解は、手掛かりしか解明されていない。例えば、出発物質、ことに炭素含有の出発物質を、高いスループットと同時に完全に反応させることは、特別な挑戦である。
【０００９】
したがって、本発明の課題は、これらの問題を克服する、火炎溶射熱分解を用いて金属酸化物を製造する代替法を提供することであった。
【００１０】
本発明の主題は、金属化合物を含むエアロゾルを反応器中で火炎内に導入し、かつここで反応させ、かつ得られた金属酸化物粉末をガス状の物質から分離する、火炎溶射熱分解を用いて金属酸化物粉末を製造する方法であり、ここで、
ａ）  酸素を含むガス（１）を、燃料ガスと共に点火することにより火炎を形成させ、
ｂ）  １つ以上のノズルを用いて、金属化合物と噴霧ガスとを一緒に噴霧することによりエアロゾルを得て、かつ
ｃ）  噴霧面積の反応器横断面積に対する比率が、少なくとも０．２、好ましくは０．２〜０．８、特に好ましくは０．３〜０．７である。
【００１１】
噴霧面積とは、この場合、ノズル出口から３０ｃｍ下でエアロゾルが占める面積であると解釈される。火炎内でのエアロゾルの反応に好ましい影響を及ぼす極めて微細な噴霧および大きな面積被覆率は、この噴霧面積の反応器横断面積に対する本発明による比率に基づく。
【００１２】
エアロゾルの噴霧形状は、好ましくは、７０〜１３０°の散乱範囲を有する円錐形である。この噴霧されたエアロゾルの平均液滴サイズは、好ましくは１０〜１５０μｍである。
【００１３】
特別な実施形態は、金属化合物を含む溶液と噴霧ガスとをノズル内の混合室内へ流入させ、かつこの混合室内に配置された組込部材が噴霧ガスの作用下で溶液を個々の液滴に分割し、かつエアロゾルを混合室から穿孔を介して反応器中へ導入することにより、エアロゾルを製造することを予定する。
【００１４】
本発明による方法の場合に、酸素を含むガス（１）を使用する。これは、燃料ガスと一緒に、火炎の点火のために必要である。さらに、酸素を含むガス（２）を反応器中へ導入することができる。酸素を含むガス（１）および（２）は、一般に空気である。酸素を含むガス（１）は、一次空気といわれ、酸素を含むガス（２）は、二次空気といわれる。好ましくは、酸素を含むガス（２）の量は、酸素を含むガス（２）／酸素を含むガス（１）の比率＝０．１〜２であるように調整される。特に好ましいのは０．２〜１の範囲である。酸素を含むガス（１）＋（２）の量は、燃料ガスと金属化合物とが完全に反応することができるように算定される。燃料ガスとして、好ましくは水素を使用する。
【００１５】
噴霧ガスとして、本発明による方法の場合に、空気、酸素が富化された空気、および／または窒素のような不活性ガスを使用することができる。一般に、空気を噴霧ガスとして使用する。噴霧ガス量については、本発明による方法によると、金属化合物のスループット／噴霧ガス量の比率が、好ましくは０．１〜１０ｋｇ／Ｎｍ3、特に好ましくは０．２５〜５ｋｇ／Ｎｍ3であることが重要である。
【００１６】
金属化合物は、それ自体、液状の形でまたは溶液の形で使用することができる。溶媒として、水および有機溶媒が挙げられる。
【００１７】
金属化合物の金属成分は、好ましくは、Ａｌ、Ｃｏ、Ｃｒ、Ｃｕ、Ｆｅ、Ｈｆ、Ｉｎ、Ｌｉ、Ｍｎ、Ｍｏ、Ｎｂ、Ｎｉ、Ｓｉ、Ｓｎ、Ｔａ、Ｔｉ、Ｖ、Ｙ、Ｚｎ、およびＺｒからなる群から選択される。本発明の範囲内で、特に好ましいＳｉは、金属と見なすべきである。
【００１８】
原則的に、金属化合物の性質は、この金属化合物が反応条件下で金属酸化物を形成しながら加水分解可能であるかまたは酸化可能である限り、他に制限はない。例えば、塩化物、硝酸塩、または有機金属化合物を使用することができる。同様に、溶液は、１つの金属の多様な金属化合物、または異なる金属成分を有する複数の金属化合物を含むことも可能である。後者の場合に、混合金属酸化物が形成される。
【００１９】
本発明による方法は、特に、金属成分の他に炭素も含む金属化合物の使用に適している。この方法は、炭素貧有の金属酸化物の製造を可能にする。炭素貧有とは、金属酸化物の炭素含有率が、０．１質量％未満、好ましくは０．０５質量％未満であることを意味すべきである。
【００２０】
ことに、金属化合物は、シラン、ポリシロキサン、環状ポリシロキサン、シラザンおよびこれらの任意の混合物からなる群から選択されるケイ素含有化合物であることができる。詳細には、テトラメトキシシラン、テトラエトキシシラン、メチルトリエトキシシラン、ジメチルジメトキシシラン、ジメチルジエトキシシラン、トリメチルメトキシシラン、トリメチルエトキシシラン、ジエチルプロピルエトキシシラン、シリコーン油、オクタメチルシクロテトラシロキサン（Ｄ４）、デカメチルシクロペンタシロキサン、ドデカメチルシクロヘキサシロキサン、ヘキサメチルシクロトリシロキサンおよびヘキサメチルジシラザンが挙げられる。
【００２１】
本発明の特別な実施形態は、ケイ素含有化合物を含むエアロゾルを反応器中で火炎内に導入し、かつここで反応させ、かつ得られたケイ酸粉末を、ガス状の物質から分離する、火炎溶射熱分解を用いた少なくとも５０ｍ2／ｇ、好ましくは７０〜３００ｍ2／ｇのＢＥＴ表面積、および０．１質量％未満、好ましくは０．０１〜０．０５質量％の炭素含有率を有するケイ酸粉末の製造を予定し、
この際、
ａ）  酸素を含むガス（１）を、燃料ガスと共に点火することにより火炎を形成させ、
ｂ）  ケイ素含有化合物を、シラン、ポリシロキサン、環状ポリシロキサン、シラザン、およびこれらの任意の混合物からなる群から選択し、
ｃ）  １つ以上のノズルを用いて、ケイ素含有化合物を含む溶液と噴霧ガスとを一緒に噴霧することによりエアロゾルを得て、かつ噴霧面積の反応器横断面積に対する比率が、少なくとも０．２、好ましくは０．２〜０．８、特に好ましくは０．３〜０．７であり、かつ
ｄ）  付加的に、酸素を含むガス（２）を反応器中に導入し、ここで、酸素を含むガス（２）／酸素を含むガス（１）の比率＝０．１〜２である。
【００２２】
実施例
実施例１：
Ｄ４  １．０ｋｇ／ｈおよび噴霧空気４．０ｋｇ／ｈから、内部混合型の二流体ノズル、Schlick社のモデル0/60-0/64を用いてエアロゾルを製造し、このエアロゾルを反応器中で火炎内へ噴霧する。０．８８ｄｍ2の噴霧面積が生じる。噴霧面積／反応器横断面積の比率は０．５である。反応器中で、水素（２Ｎｍ3／ｈ）と一次空気（２０Ｎｍ3／ｈ）からなる爆鳴気火炎を燃焼させ、この火炎内でエアロゾルを反応させる。付加的に、二次空気（５Ｎｍ3／ｈ）を反応器中へ導入する。冷却後に、フィルターでガス状の物質からケイ酸を分離する。反応器中での反応混合物の平均滞留時間は、１．６７秒である。火炎の０．５ｍ下の温度は６４２℃である。ケイ酸は、２０２ｍ2／ｇのＢＥＴ表面積および０．０４質量％の炭素含有率を有する。
【００２３】
実施例２〜８を同様に実施する。使用量は、表内に記載されている。
【００２４】
噴霧面積／反応器横断面積の比率は、この場合０．３５〜０．６２に変更する。得られたケイ酸は、８５〜２９３ｍ2／ｇのＢＥＴ表面積を有し、この場合、０．０１〜０．０４質量％を有する炭素含有率は、一貫して極めて低い。
【００２５】
比較例Ｖ１〜Ｖ４も、実施例１と同様に実施するが、ここでは外部混合型の二流体ノズル、Schlick社のモデル02-09を使用する。明らかに小さな噴霧面積および相応して噴霧面積／反応器横断面積の明らかに小さな比率が生じる。得られたケイ酸は、１６〜７０ｍ2／ｇのＢＥＴ表面積を有し、この場合、０．１３〜０．１６質量％を有する炭素含有率は明らかに高められている。
【００２６】
表：使用材料および反応条件；物質特性
【表１】
2018526309.tif 000002
【国際調査報告】
2018526309.tif 000003
2018526309.tif 000004
2018526309.tif 000005
2018526309.tif 000006
2018526309.tif 000007
2018526309.tif 000008